【手続補正書】
【提出日】平成26年12月3日(2014.12.3)
【手続補正１】
【補正対象書類名】明細書
【補正対象項目名】００１１
【補正方法】変更
【補正の内容】
【００１１】
本発明は、被写体の像を撮像する撮像手段と、撮像された複数の被写体の位置を検出する被写体位置検出手段と、地図上の様々な場所の情報を予め記憶して保持する場所情報記憶保持手段と、前記場所情報記憶保持手段を参照して前記被写体の位置を識別可能な場所の情報を抽出する場所情報抽出手段と、前記被写体位置検出手段により検出された複数の被写体の位置の各々を識別可能な複数の場所の情報が抽出された場合に、その中で少なくとも１つの被写体の位置を識別可能な場所の情報を特定する選択手段と、前記撮像手段の撮影画像に前記選択手段により特定された場所の情報を対応付けて記録する画像記録手段とを備えたことを特徴とする撮像装置、撮像装置の制御方法、コンピュータのプログラムである。
【手続補正２】
【補正対象書類名】特許請求の範囲
【補正対象項目名】全文
【補正方法】変更
【補正の内容】
【特許請求の範囲】
【請求項１】
被写体の像を撮像する撮像手段と、
撮像された複数の被写体の位置を検出する被写体位置検出手段と、
地図上の様々な場所の情報を予め記憶して保持する場所情報記憶保持手段と、
前記場所情報記憶保持手段を参照して前記被写体の位置を識別可能な場所の情報を抽出する場所情報抽出手段と、
前記被写体位置検出手段により検出された複数の被写体の位置の各々を識別可能な複数の場所の情報が抽出された場合に、その中で少なくとも１つの被写体の位置を識別可能な場所の情報を特定する制御手段と、
前記撮像手段の撮影画像に前記制御手段により特定された場所の情報を対応付けて記録する画像記録手段と
を備えたことを特徴とする撮像装置。
【請求項２】
前記制御手段は、前記被写体位置検出手段により複数の被写体の位置が検出され、かつ、前記場所情報抽出手段により各々の位置を識別可能な複数の場所の情報が抽出された場合に、その中で主要被写体の位置を識別可能な場所の情報を選択し、
前記画像記録手段は、前記撮像手段の撮影画像に前記制御手段により選択された場所の情報を対応付けて記録する
ことを特徴とする請求項１に記載の撮像装置。
【請求項３】
前記場所情報抽出手段によって抽出された場所の情報が複数であるか否かを判定する判定手段をさらに備え、
前記制御手段は、前記判定手段の判定結果が肯定の場合に、前記被写体位置検出手段による位置検出動作の条件を変更することを特徴とする請求項２に記載の撮像装置。
【請求項４】
前記被写体位置検出手段は、前記主要被写体の位置を所定の確度で検出し、
前記場所情報抽出手段は、前記主要被写体の位置および前記所定の確度に対応して決められた所定の領域内に存在する場所の情報を、前記場所情報記憶保持手段を参照して抽出し、
前記制御手段は、前記判定手段の判定結果が肯定の場合に、前記主要被写体の位置検出の確度が高くなるように、前記被写体位置検出手段による位置検出動作の条件を変更することを特徴とする請求項３に記載の撮像装置。
【請求項５】
前記被写体の像を撮像するときの現在位置を検出する現在位置検出手段と、
前記被写体の像を撮像する際の前記被写体までの焦点距離に基づいて前記現在位置から前記被写体までの距離を測定する距離測定手段と、
前記被写体の像を撮像する際の撮影方向を検出する撮影方向検出手段と、
前記撮像手段の被写界深度を調節する被写界深度調節手段と、
を更に備え、
前記被写体位置検出手段は、前記現在位置と前記前記被写体までの距離と前記撮影方向とに基づいて前記被写体の位置を検出し、
前記場所情報抽出手段は、前記主要被写体の位置および前記被写界深度に対応して決められた所定の領域内に存在する場所の情報を、前記場所情報記憶保持手段を参照して抽出し、
前記制御手段は、前記判定手段の判定結果が肯定の場合に被写界深度が浅くなるように前記被写界深度調節手段を制御するとともに、前記撮像手段、前記距離測定手段、前記被写体位置検出手段及び前記場所情報抽出手段の各動作を再実行させることを特徴とする請求項４に記載の撮像装置。
【請求項６】
前記被写界深度調節手段は、前記撮像手段の絞りを開放にし、またはズーム倍率を最大にし、若しくはその両方を行って被写界深度を浅くすることが可能なことを特徴とする請求項５に記載の撮像装置。
【請求項７】
さらに、前記撮像手段の撮像画像から人物を検出する人物検出手段を備え、
前記被写体位置検出手段は、撮像されている複数の被写体の中から、位置を検出すべき主要被写体を絞り込むことで位置検出の確度を高めることが可能であり、
前記場所情報抽出手段は、前記絞り込まれた１または複数の主要被写体の位置を含む所定の領域内に存在する場所の情報を、前記場所情報記憶保持手段を参照して抽出し、
前記制御手段は、前記判定手段の判定結果が肯定の場合に、前記人物検出手段により検出された人物を前記主要被写体とするように、前記被写体位置検出手段による位置検出動作を制御することを特徴とする請求項１乃至請求項６のいずれかに記載の撮像装置。
【請求項８】
さらに、予め対象となる人物の顔情報を記憶保持する顔情報記憶登録手段と、この顔情報記憶登録手段の登録情報を用い、前記人物検出手段によって検出された人物を顔照合する照合手段と、を備え、
前記制御手段は、前記判定手段の判定結果が肯定の場合に、前記照合された人物を前記主要被写体とするように、前記被写体位置検出手段による位置検出動作を制御することを特徴とする請求項７に記載の撮像装置。
【請求項９】
さらに、前記撮像手段の撮像画像から人物を検出する人物検出手段と、予め対象となる人物の顔情報を記憶保持する顔情報記憶登録手段と、この顔情報記憶登録手段の登録情報を用い、前記人物検出手段によって検出された人物を顔照合する照合手段と、を備え、
前記場所情報抽出手段は、顔照合された人物の位置に対応する場所の情報を前記場所情報記憶保持手段から抽出することを特徴とする請求項１乃至請求項８のいずれかに記載の撮像装置。
【請求項１０】
さらに、前記撮像手段の撮影画像に前記場所の情報を合成した合成画像を生成する合成画像生成手段を備え、
前記画像記録手段は、前記合成画像生成手段により合成された合成画像を記録することを特徴とする請求項１乃至請求項９のいずれかに記載の撮像装置。
【請求項１１】
前記合成画像生成手段は、前記撮像手段の撮影画像に前記場所の情報と前記人物の情報を対応付けて記録することを特徴とする請求項１乃至請求項９のいずれかに記載の撮像装置。
【請求項１２】
前記合成画像生成手段は、前記撮像手段の撮影画像に前記場所の情報を合成するとともに、前記人物の情報も合成した合成画像を生成することを特徴とする請求項７または請求項１１に記載の撮像装置。
【請求項１３】
前記顔情報記憶登録手段は人物ごとの優先度を保持し、前記照合手段はこの優先度に従って人物の照合を行うことを特徴とする請求項９に記載の撮像装置。
【請求項１４】
さらに、前記場所情報記憶保持手段は、地図上の様々な場所の情報とともに、それらの場所の高さを示す情報も予め記憶して保持し、
前記合成画像生成手段は、前記撮像手段の撮影画像に前記場所の情報と前記高さの情報を対応付けて記録することを特徴とする請求項１乃至請求項１３のいずれかに記載の撮像装置。
【請求項１５】
前記合成画像生成手段は、前記撮像手段の撮影画像に前記場所の情報を合成するとともに、この高さの情報も合成した合成画像を生成することを特徴とする請求項１４に記載の撮像装置。
【請求項１６】
被写体の像を撮像する撮像工程と、
撮像された複数の被写体の位置を検出する被写体位置検出工程と、
地図上の様々な場所の情報を予め記憶して保持する場所情報記憶保持手段を参照して前記被写体の位置を識別可能な場所の情報を抽出する場所情報抽出工程と、
前記被写体位置検出工程により検出された複数の被写体の位置の各々を識別可能な複数の場所の情報が抽出された場合に、その中で少なくとも１つの被写体の位置を識別可能な場所の情報を特定する選択工程と、
前記撮像工程で撮像された撮影画像に前記選択工程により特定された場所の情報を対応付けて記録する画像記録工程と
を含むことを特徴とする、撮像装置の制御方法。
【請求項１７】
撮像装置のコンピュータに、
被写体の像を撮像する撮像手段と、
撮像された複数の被写体の位置を検出する被写体位置検出手段と、
地図上の様々な場所の情報を予め記憶して保持する場所情報記憶保持手段と、
前記場所情報記憶保持手段を参照して前記被写体の位置を識別可能な場所の情報を抽出する場所情報抽出手段と、
前記被写体位置検出手段により検出された複数の被写体の位置の各々を識別可能な複数の場所の情報が抽出された場合に、その中で少なくとも１つの被写体の位置を識別可能な場所の情報を特定する選択手段と、
前記撮像手段の撮影画像に前記選択手段により特定された場所の情報を対応付けて記録する画像記録手段と
しての機能を与えることを特徴とするプログラム。